(57)【要約】【課題】  陽圧金属缶の開封操作を複雑にすることなしに吹き出しを確実に防止することができ、部品点数を増加させることがないカバーキャップを提供すること。【解決手段】  陽圧金属缶の缶胴３に２重巻締めによって固着している缶蓋４を開封するときのカバーキャップ１であって、缶蓋４を上から覆う遮蔽体１２を有し、遮蔽体１２は缶蓋４の２重巻締部５に係合し２重巻締部５の中心線１７の周りに回動可能な胴部１４と胴部１４の上端に取り付けた天板１５部とを有し、胴部１４は内面に缶蓋４の金属缶２の２重巻締部５に係合可能なアンダーカット部１６を有し、天板部１５に缶蓋４の初期開口部１１の直上を覆い得る遮蔽部２１を備えかつ缶蓋４の開封操作部が露出し得る操作穴２２が穿設されている【選択図】図１
2011031966.tif 000002
【特許請求の範囲】
【請求項１】
陽圧金属缶の缶胴に２重巻締めによって固着している缶蓋を開封するときのカバーキャップであって、前記缶蓋を上から覆う遮蔽体を有し、前記遮蔽体は前記缶蓋の２重巻締部に係合し前記２重巻締部の中心線の周りに回動可能な胴部と前記胴部の上端に取り付けた天板部とを有し、前記胴部は内面に前記缶蓋の前記金属缶の２重巻締部に前記係合可能なアンダーカット部を有し、天板部に前記缶蓋の初期開口部の直上を覆い得る遮蔽部を備えかつ前記缶蓋の開封操作部が露出し得る操作穴が穿設されていることを特徴とするカバーキャップ。
【請求項２】
前記天板部を上から覆っている着脱可能なカバー部材を有することを特徴とする請求項１に記載のカバーキャップ。
【請求項３】
前記開封操作部はイージーオープン缶蓋のステイオンタブであることを特徴とする請求項１〜２に記載のカバーキャップ。
【請求項４】
前記天板部の遮蔽部の周縁部のうちの少なくとも前記操作穴寄りの部分には前記天板部の裏面から立ち下がる遮蔽壁部分を有することを特徴とする請求項１〜３に記載のカバーキャップ。
【請求項５】
前記遮蔽体は樹脂製であることを特徴とする請求項１〜４に記載のカバーキャップ。
【請求項６】
前記遮蔽体は前記の胴部の外周面の少なくとも一部分にはすべり止めを有する握り部が形成されていることを特徴とする請求項１〜５に記載のカバーキャップ。
【請求項７】
前記遮蔽体は前記中心線周りに回転可能であることを特徴とする請求項１〜６に記載のカバーキャップ。
【請求項８】
前記カバー部材は内側に計量用凹部を有することを特徴とする請求項１〜７に記載のカバーキャップ。
【発明の詳細な説明】
【技術分野】
【０００１】
この発明は陽圧金属缶の内容物の吹き出し防止や内容物の計量および防塵機能を有するカバーキャップに関するものである。
【背景技術】
【０００２】
食品や飲料等の内容物を収容するために易開封性缶蓋を用いた金属缶が用いられている。この易開封性缶蓋は、開封するのに缶切りを必要とせずにタブを引き上げるだけで缶蓋を引き裂き開口することができるので、内容物を取り出すのにきわめて便利であり、またこの缶蓋は金属製で耐圧性も高く、かつ生産技術も確立されていて、生産効率も極めて高い。この易開封性缶蓋をもつ金属缶は、内部が加圧された陽圧缶として用いられる場合がある。
【０００３】
一方、近来は食品や飲料に対するニーズも多様化して来ていて、例えばコーヒー豆を挽いたコーヒー粉についても香りが重視されて、挽きたてのコーヒーの香りが消費者から求められて来ている。
【０００４】
この挽きたてのコーヒー粉を収容するには前述の易開封性缶蓋を持つ金属缶は優れた性質を有している。先ず挽き立てのコーヒー粉を金属缶に入れて、缶内部の空気を窒素などの不活性ガスで置換してから密封する。その後、コーヒー粉から発生した炭酸ガスで缶内部が徐々に加圧されて陽圧缶となる。
【０００５】
しかるにこの陽圧缶の場合には、この缶蓋を開封する操作としてタブを起して初期開口を形成したときに、内容物の粉末、例えばコーヒー粉が加圧ガスと共に吹き出して周囲に飛散するという問題がある。これを防ぐために、金属缶の缶蓋と内容物との間に内蓋を入れて、内容物の吹き出しを緩速化させることが考えられた（特許文献１及び２）。
【先行技術文献】
【特許文献】
【０００６】
【特許文献１】実用新案登録第２５１０２８４号公報
【特許文献２】特開２００５−０５３５４６号公報
【発明の概要】
【発明が解決しようとする課題】
【０００７】
しかるにこれらの先行技術の場合は、内容物を取り出す場合は缶蓋を開封した後に内蓋を摘み出して除去する必要があるので、缶蓋の開口は手指をそこから差し込んで内蓋を摘んで引き出す操作のために相当大きな開口が必要で、フルオープンの缶蓋では可能であるが、部分的に開口するパーシャルオープンの缶蓋には適用することができない。
【０００８】
また一般に易開封性缶蓋では開封操作のためのタブが取付けられているが、このタブに不時に外力がかかって、タブが破損して缶蓋が開口してしまう事故や或いは開封操作ができなくなる事故が発生する恐れがあるので、タブを保護するために缶蓋乃至タブを上から覆う保護カバーを取付けることがある。このことは逆に開封する操作をする前に保護カバーをとりはずす操作が必要となるので、これが開封操作を複雑にする原因になっている。さらに、コーヒー粉を収容した缶などにおいては内容物を計量して取り出すための計量カップを準備する必要があるが、これが部品点数を増加させて材料節減の要請に反することになる。
【０００９】
このようなことから、陽圧金属缶の吹き出しを防ぎつつ開封することができ、かつ開封操作を複雑にすることがない陽圧金属缶のカバーキャップの開発が望まれている。また計量カップを缶に付属させるときには、その計量カップの固定方法や開口近辺やカップへの塵矣の付着防止機能の付与、さらには使用材料の量の少ないカバーキャップの開発が望まれている。
【００１０】
この発明は上記の如き事情に鑑みてなされたものであって、陽圧金属缶の開封操作は飲料缶のように簡単で、部品点数をあまり増すことなく、粉体の吹き出し防止機能と粉体の計量機能、さらに開口近辺への塵埃の付着防止機能をもつ陽圧金属缶のカバーキャップを提供することを目的とするものである。
【課題を解決するための手段】
【００１１】
この目的に対応してこの発明の陽圧金属缶のカバーキャップは、陽圧金属缶の缶胴に二重巻き締めによって固着している缶蓋を開封するときのカバーキャップであって、前記缶蓋を上から覆う遮蔽体を有し、前記遮蔽体は前記缶蓋の２重巻締部に係合し前記２重巻締部の中心線の周りに回動可能な胴部と前記胴部の上端に取り付けた天板部とを有し、前記胴部は内面に前記缶蓋の前記金属缶の２重巻締部に前記係合可能なアンダーカット部を有し、天板部に前記缶蓋の初期開口部の直上を覆い得る遮蔽部を備えかつ前記缶蓋の開封操作部が露出し得る操作穴が穿設されていることを特徴としている。
【発明の効果】
【００１２】
請求項１に記載された発明では、缶蓋の初期開口が形成される缶蓋部分を遮蔽体の天板の遮蔽部が覆って吹き出しを遮蔽するので内容物の吹き出しは抑制される。このとき缶蓋のタブは操作穴から露出しているので、開封操作は阻害されない。
【００１３】
請求項２に記載された発明では、カバー部材が遮蔽体を覆っているので遮蔽体が外力によって損傷するのを防ぐことができる。
【００１４】
請求項３に記載された発明では、開封操作部はステイオンタブを持つイージーオープン缶蓋に適用することを可能にする。
【００１５】
請求項４に記載した発明では、遮蔽体の遮蔽部と操作穴との境に遮蔽壁が設けられるので、吹き出し物が操作穴から流出するのを防ぐことができる。
【００１６】
請求項５に記載した発明では、遮蔽体が樹脂製であるので、製造が容易である。
【００１７】
請求項６に記載した発明では、遮蔽体の外周の握り部にはすべり止めの凹凸が形成されるので、遮蔽体の回転操作が容易である。
【００１８】
請求項７に記載した発明では、カバー部材は遮蔽体の円筒部に係合にしていて、該円筒部にはアンダーカットが無いので、カバー部材の着脱が容易である。勿論、該円筒部にアンダーカットを施すと、その程度によりカバー部材の着脱の難易を制御できる。
【００１９】
請求項８に記載した発明ではカバー部材の内側に計量用凹部が設けられているので、内容物の計量取り出しが可能となる。
【図面の簡単な説明】
【００２０】
【図１】イージーオープン缶蓋に装着したカバーキャップの正面図。
【図２】イージーオープン缶蓋に装着したカバーキャップの縦断面図。
【図３】イージーオープン缶蓋に遮蔽体を取付けた状態を示す図で、（ａ）は平面図、（ｂ）は正面図、（ｃ）は縦断面図である。
【図４】遮蔽体の斜視説明図。
【図５】遮蔽体を示す図で、（ａ）は平面図、（ｂ）は正面図、（ｃ）は縦断面図。
【図６】カバー部材の斜視説明図。
【図７】カバー部材を示す図で、（ａ）は平面図、（ｂ）は底面図、（ｃ）は縦断面図（斜線部は計量用凹部を示す）。
【図８】カバー部材を逆さにした状態の斜視説明図。
【図９】カバーキャップの操作手順を示す説明図。
【発明を実施するための形態】
【００２１】
以下この発明の詳細を実施の形態を示す図面について説明する。
図１において１はカバーキャップである。カバーキャップ１は金属缶２について使用されるものである。図２、図３、図４、図５、において、金属缶２は陽圧缶で缶胴３の上端部に缶蓋４が２重巻締部５によって取り付けられている。缶蓋４は易開封性缶蓋で、蓋本体６に予定された開口形状に沿ってスコアー８が形成され、かつタブ７が取付けられている。また蓋本体６上には予定された初期開口が形成される初期開口部１１が設定されている。
【００２２】
カバーキャップ１は遮蔽体１２を有し、かつ、必要に応じてカバー部材１３を備えている。遮蔽体１２はプラスチックで構成することができる。遮蔽体１２は短円筒状の胴部１４と胴部１４の上端に取り付けた天板部１５とを有する。
【００２３】
胴部１４の下端部の内面にはアンダーカット部１６を有し、このアンダーカット部１６が缶蓋４の２重巻締部５の下端に嵌合することによって、遮蔽体１２は缶蓋４に着脱可能に装着されることができる。この装着した状態において遮蔽体１２は２重巻締部５の中心線１７回りに回動してその姿勢を変えることができる。胴部１４の外周面の一部分に凹凸形状のすべり止めを有する握り部１８が形成されている。
【００２４】
天板部１５は中心線１７回りに回動することによって缶蓋４の初期開口部１１の直上に達して初期開口部１１を覆う位置に達し得る部分に遮蔽部２１を有し、またその回動によって缶蓋４のタブ７の直上においてタブ７を露出させる位置に達し得る部分に操作穴２２を穿設している。
【００２５】
遮蔽部２１は初期開口部１１を覆って初期開口部１１からの内容物の吹き出しを抑制する部分であり、また、操作穴２２はタブ７を露出させて、遮蔽体１２の外から操作穴２２を通してタブ７を操作して開封操作をするためのものである。
【００２６】
遮蔽部２１の周縁部のうちの全周または操作穴２２寄りの部分には天板部１５の内面から立ち下がる遮蔽壁２３が垂下している。この遮蔽壁２３は遮蔽部２１から操作穴２２への吹き出し気流を遮断するものである。
【００２７】
カバー部材１３は天板部１５を上から覆って遮蔽体１２に着脱可能に装着される。カバー部材１３は遮蔽体１２の防塵の役目と後述する内容物の計量を可能にする。
【００２８】
カバー部材１３は図６、図７及び図８に示すように、ドーム状の天井殻２４を有し、天井殻２４の一部分が垂直に凹んでいて指掛け凹部２５が形成されている。指掛け凹部２５の底部は底板３２で閉じられている。天井殻２４の下端の外面にはつまみ２６が張り出しており、また内面には係合用突起２７が内方に張り出している。指掛け凹部２５はカバー部材１３を着脱するときの指掛り部として機能する他に、後述するようにカバー部材１３を計量カップとして利用するときの把手として機能する部分である。つまみ２６はカバー部材１３をはずすときの指掛り部として機能するものである。係合用突起２７はカバー部材１３を遮蔽体１２の外側に装着するときのカバー部材１３の胴部１４の内周面との摺動可能な係合を図るためのスペーサとして機能するものである。天井殻２４の裏面は凹部２８になっていて、この凹部２８が内容物を計量するための計量室３１になっている。計量室３１側方には指掛け凹部２５の底板３２が位置している。
【００２９】
次にこのように構成されたカバーキャップ１の作用は次の通りである。
カバーキャップ１はカバー部材１３と遮蔽体１２が図２に示すように組合わされて完成され、金属缶２の上端部に装着される。このとき遮蔽体１２はアンダーカット部１６が缶蓋４の２重巻締部５の下端に係合し、缶蓋４の周りに回動可能である。
カバー部材１３は遮蔽体１２に胴部１４の外周面に係合用突起２７が接触して係合を確保した状態で遮蔽体１２を覆って装着されている。
【００３０】
次に内容物、例えばコーヒー粉を取り出す場合には、まずカバー部材１３を外し、遮蔽体１２を手で握って缶蓋４の周りに回動させ、操作穴２２がタブ７の直上に達した位置に止める。このとき天板部１５の遮蔽部２１が初期開口部１１の直上に達している。このときの状態が、図９の（ａ）である。
【００３１】
次に操作穴２２を通してタブ７の後端部を指爪で持ち上げると、タブ７の先端の切刃が下降して初期開口部１１を押し切り、初期開口が形成する。初期開口が形成されるとそこから金属缶２内の加圧ガスが内容物を巻き込んで吹き出すが、この吹き出しは天板部１５の遮蔽部２１に当って減衰する。さらに吹き出し流のうち操作穴２２に向って流れる成分は遮蔽壁２３に当って減衰し、結局ガス及び内容物の外部への吹き出しは抑制される。吹き出しがおさまった後、タブ７を更に持ち上げて約９０度までタブ７を引き起こすと、内容物取り出し口４０（初期開口部１１が大きく開いたもの）となる。このときの状態が、図９の（ｂ）である。この後タブ７を押し戻して水平位置まで押し込む。しかしタブ７はスプリングバックで水平にはならないが、遮蔽体１２を中心線１７回りに捻ることで、タブ７は遮蔽体１２と缶蓋４の間に潜り込む。このときの状態が、図９の（ｃ）である。更に捻って約１８０度回転させると操作穴２２の真下に、上記取り出し口４０が現われる。このときの状態が、図９の（ｄ）である。
次にカバー部材１３を計量室３１を上向きにして把持し、上記取り出し口４０からスプーン等で粉末の内容物を取り出すか、又は缶を斜めにして揺動させることで粉末の内容物を振り出し、計量室３１に注ぎ、該計量室を満たすことで計量し、頭書の目的を完了する。
【００３２】
このように構成されたカバーキャップでは、金属缶の二重巻締め部に係合する樹脂製の遮蔽体と、該遮蔽体と係合する樹脂製のカバー部材とを有し、該遮蔽体は、開缶時に内容物が外に飛び出すことを防止し、該カバー部材は防塵と計量の機能を有することができる。
【００３３】
上記カバー部材は上記遮蔽体と係合している場合は該カバー部材の上を凸にした防塵カバーとなり、内容物を取り出すときは、遮蔽体から外し、該カバーの下を凸にして計量カップとすることができる。
【００３４】
金属缶の二重巻締部に係合する遮蔽体には、巻締部の下部にあるアンダーカットに係合するノッチが有り、缶軸長手方向への強い押圧力を加えることで、該遮蔽体が弾性変形して該ノッチが缶の巻締部の下部にあるアンダーカットに係合し、係合後は、該遮蔽体は中心線１７方向へは強い抵抗力を示すが、中心線１７の回転方向には手で軽く回すことが可能である。
【００３５】
金属缶二重巻締部の下部にあるアンダーカットと遮蔽体との係合は、該遮蔽体とカバー部材との係合より強いため、カバー部材の遮蔽体からの着脱は容易であり、カバー部材を着脱する場合に、遮蔽体が巻締部から脱落することはない。
【００３６】
金属缶には、樹脂被覆を施すと表面保護となって一層有利である。
【００３７】
以上の説明から明らかなように、この発明によれば、陽圧金属缶の開封操作を複雑にすることなしに吹き出しを確実に防止することができ、部品点数を増加させることがないカバーキャップを得ることができる。
【符号の説明】
【００３８】
１    カバーキャップ
２    金属缶
３    缶胴
４    缶蓋
５    ２重巻締部
６    蓋本体
７    タブ
８    スコアー
１１  初期開口部
１２  遮蔽体  
１３  カバー部材  
１４  胴部
１５  天板部
１６  アンダーカット部
１７  中心線
１８  握り部
２１  遮蔽部
２２  操作穴
２３  遮蔽壁
２４  天井殻
２５  指掛け凹部
２６  つまみ
２７  係合用突起
２８  凹部
３１  計量室
３２  底板    
４０  取り出し口
【図１】
2011031966.tif 000003
【図２】
2011031966.tif 000004
【図３】
2011031966.tif 000005
【図４】
2011031966.tif 000006
【図５】
2011031966.tif 000007
【図６】
2011031966.tif 000008
【図７】
2011031966.tif 000009
【図８】
2011031966.tif 000010
【図９】
2011031966.tif 000011